(57)【要約】【課題】治療の妨げになることが低減されると共に医療現場で使用することが出来る生体情報測定装置、及びこれを用いた生体情報測定システムを提供する。【解決手段】生体の体温を測定する温度センサ１１と、血圧を測定する感圧素子１２と、温度センサ１１及び感圧素子１２により取得された体温や血圧などの生体情報を、音波を用いて外部の受信装置へ送信するスピーカ１４と、温度センサ１１、感圧素子１２、スピーカ１４等の動作用電力を供給するリチウムポリマー二次電池１７と、これらを保持する柔軟性を有するシート状の保持部材１０と、保持部材１０を生体に密着させる粘着剤１９とを備えた。【選択図】図１
2007209428.tif 000002
【特許請求の範囲】
【請求項１】
生体から所定の生体情報を取得する検出部と、
前記検出部により取得された生体情報を、音波を用いて外部の受信装置へ送信する送信部と、
前記検出部及び送信部の動作用電力を供給する電源部と
を備えることを特徴とする生体情報測定装置。
【請求項２】
生体から所定の生体情報を取得する検出部と、
前記検出部により取得された生体情報を、光信号を用いて外部の受信装置へ送信する送信部と、
前記検出部及び送信部の動作用電力を供給する電源部と
を備えることを特徴とする生体情報測定装置。
【請求項３】
柔軟性を有するシート状の部材であって、前記検出部と前記送信部と前記電源部とを保持する保持部材と、
前記保持部材を生体に密着させる密着手段とをさらに備えること
を特徴とする請求項１又は２記載の生体情報測定装置。
【請求項４】
前記電源部は、ポリマーを電解質に用いることにより、柔軟性を有するシート状にされたポリマー電池を用いて構成されていること
を特徴とする請求項３記載の生体情報測定装置。
【請求項５】
前記ポリマー電池は、正極側が生体に配されていること
を特徴とする請求項４記載の生体情報測定装置。
【請求項６】
前記ポリマー電池は、充電可能なポリマー二次電池であり、
前記ポリマー二次電池を充電する、柔軟性を有するシート状の太陽電池をさらに備えること
を特徴とする請求項４又は５記載の生体情報測定装置。
【請求項７】
前記ポリマー電池は、充電可能なポリマー二次電池であり、
外部からの電磁波により誘起された電圧により前記ポリマー二次電池を充電する誘導コイルをさらに備えること
を特徴とする請求項４又は５記載の生体情報測定装置。
【請求項８】
前記密着手段は、粘着力を有する生分解性ポリマーが前記保持部材の一方面に塗布されたものであること
を特徴とする請求項３〜７のいずれかに記載の生体情報測定装置。
【請求項９】
前記保持部材は、帯状の形状にされており、
前記密着手段は、前記保持部材における帯状の両端付近を締結する締結部材であること
を特徴とする請求項３〜８のいずれかに記載の生体情報測定装置。
【請求項１０】
前記検出部により取得された生体情報が、生体の異常状態を示すべく予め設定された第１条件に該当する場合、電波を用いた無線通信によって異常状態の発生を示す無線信号を送信する報知手段をさらに備えること
を特徴とする請求項１〜９のいずれかに記載の生体情報測定装置。
【請求項１１】
前記検出部により取得された生体情報が、生体の状態としてあり得ない状態を示すべく予め設定された第２条件に該当する場合、電波を用いた無線通信によって故障の発生を示す無線信号を送信する報知手段をさらに備えること
を特徴とする請求項１〜９のいずれかに記載の生体情報測定装置。
【請求項１２】
請求項１〜１１のいずれかに記載の生体情報測定装置と当該生体情報測定装置により得られた生体情報を表示する生体情報表示装置とを備えた生体情報測定システムであって、
前記生体情報表示装置は、
前記送信部から送信された生体情報を受信する受信部と、
前記受信部により受信された生体情報を表示する表示部と
を備えることを特徴とする生体情報測定システム。
【請求項１３】
請求項７に記載の生体情報測定装置と当該生体情報測定装置により得られた生体情報を表示する生体情報表示装置とを備えた生体情報測定システムであって、
前記生体情報表示装置は、
前記送信部から送信された生体情報を受信する受信部と、
前記受信部により受信された生体情報を表示する表示部と、
前記誘導コイルに電磁誘導により起電力を生じさせるコイルと
を備えることを特徴とする生体情報測定システム。
【発明の詳細な説明】
【技術分野】
【０００１】
本発明は、生体における所定の生体情報を測定する生体情報測定装置、及びこれを用いた生体情報測定システムに関する。
【背景技術】
【０００２】
従来、救急車で患者を病院等へ輸送する際や医療現場において、患者の容態を監視する必要がある場合、患者の体に血圧・体温・脈拍等の生体情報を測定するセンサを取り付け、これらのセンサと血圧計、体温計及び脈拍計等の測定装置とをケーブルで接続し、救急隊員や医師等がこれら測定装置によって表示された生体情報を監視することが行われている。
【０００３】
一方、高齢化社会の到来に伴い、ひとり暮らしの老人が増加し、体に健康上の異変が生じても、自分で助けを求めることが出来なかったり、近隣の住人も異変に気付かない、といったことが生じるようになっている。そこで、このような老人等の利用者の体に血圧・体温・脈拍等の生体情報を測定する測定回路と、測定された生体情報を監視して健康上の異変を示すような生体情報が得られた場合に電波信号を病院、消防、その他の施設へ送信する無線送信回路とをシート状に構成して利用者の被服に取り付けておき、利用者に健康上の異変が生じた場合に自動的に電波信号により通報するようにした生体情報発信装置が知られている（例えば、特許文献１参照。）。
【特許文献１】特開平９−２０１３３８号公報
【発明の開示】
【発明が解決しようとする課題】
【０００４】
しかしながら、上述のように、患者の容態を監視する場合、患者の体に取り付けたセンサと測定装置とをケーブルで接続したのでは、救急車から病院等へ患者を搬送する場合や病院内で患者を他の場所に移す場合など、ケーブルが邪魔になって、緊急を要する治療の妨げとなるという不都合があった。
【０００５】
そこで、特許文献１に記載の生体情報発信装置のように、患者の体に取り付けた測定装置により血圧・体温・脈拍等の生体情報を電波により無線送信することで、患者の体と測定装置とを接続するケーブルを無くすことが考えられる。しかし、無線通信に用いられる電波として、一般に３０ｋＨｚ程度の長波から３０ＧＨｚ程度のミリ波が通信に使用されているのに対し、医療機器等の電子機器はこのような周波数帯の電波に対して脆弱であり、医療機器等の誤作動の原因となる。そのため、病院内等の医療現場では、このような電波を発生する携帯電話等の無線通信装置の使用が禁止されている。従って、特許文献１に記載の生体情報発信装置のような、電波を用いて生体情報を送信するものは医療現場で使用することが出来ないという不都合があった。
【０００６】
本発明は、このような問題に鑑みて為された発明であり、治療の妨げになることが低減されると共に医療現場で使用することが出来る生体情報測定装置、及びこれを用いた生体情報測定システムを提供することを目的とする。
【課題を解決するための手段】
【０００７】
本発明に係る生体情報測定装置は、生体から所定の生体情報を取得する検出部と、前記検出部により取得された生体情報を、音波を用いて外部の受信装置へ送信する送信部と、前記検出部及び送信部の動作用電力を供給する電源部とを備えることを特徴としている。
【０００８】
この構成によれば、生体情報測定装置における検出部により取得された生体情報は、送信部によって音波を用いて受信装置へ送信され、外部に通知されるので、生体情報測定装置と受信装置とをケーブルで接続する必要が無く、ケーブルが治療の妨げになることが低減される。さらに、生体情報の送信に電波を用いないので、医療現場で使用することが出来る。
【０００９】
また、上述の生体情報測定装置において、生体から所定の生体情報を取得する検出部と、前記検出部により取得された生体情報を、光信号を用いて外部の受信装置へ送信する送信部と、前記検出部及び送信部の動作用電力を供給する電源部とを備えることを特徴としている。
【００１０】
この構成によれば、生体情報測定装置における検出部により取得された生体情報は、送信部によって光を用いて受信装置へ送信され、外部に通知されるので、生体情報測定装置と受信装置とをケーブルで接続する必要が無く、ケーブルが治療の妨げになることが低減される。さらに、生体情報の送信に電波を用いないので、医療現場で使用することが出来る。
【００１１】
また、上述の生体情報測定装置において、柔軟性を有するシート状の部材であって、前記検出部と前記送信部と前記電源部とを保持する保持部材と、前記保持部材を生体に密着させる密着手段とをさらに備えることを特徴としている。
【００１２】
この構成によれば、検出部と送信部と電源部とが柔軟性を有するシート状の部材である保持部材によって保持されており、密着手段により保持部材が生体に密着されるので、生体情報測定装置を生体の形状に沿うように密着させることが出来る。
【００１３】
また、上述の生体情報測定装置において、前記電源部は、ポリマーを電解質に用いることにより、柔軟性を有するシート状にされたポリマー電池を用いて構成されていることを特徴としている。
【００１４】
この構成によれば、電源部が柔軟性を有するシート状にされたポリマー電池を用いて構成されているので、電源部を保持部材と共に変形させることが出来る結果、生体情報測定装置を生体の形状に沿うように密着させることが出来る。
【００１５】
また、上述の生体情報測定装置において、ポリマー電池を配する際、その正極側の面が生体側に配されていることが望ましい。ポリマー電池は通常、正極側の方が過電圧が大きいため生体側に正極を配することで、生体の体温によりポリマー電池の正極側が温められ、より安定した動作が可能となる。
【００１６】
また、上述の生体情報測定装置において、前記ポリマー電池は、充電可能なポリマー二次電池であり、前記ポリマー二次電池を充電する、柔軟性を有するシート状の太陽電池をさらに備えることを特徴としている。
【００１７】
この構成によれば、検出部及び送信部の動作用電力を供給するポリマー二次電池を太陽電池によって充電することが出来るので、ポリマー二次電池が動作用電力の供給によって消耗しても、太陽電池により充電を行って、繰り返し生体情報測定装置を使用することができる。
【００１８】
また、上述の生体情報測定装置において、前記ポリマー電池は、充電可能なポリマー二次電池であり、外部からの電磁波により誘起された電圧により前記ポリマー二次電池を充電する誘導コイルをさらに備えることを特徴としている。
【００１９】
この構成によれば、検出部及び送信部の動作用電力を供給するポリマー二次電池を、外部からの電磁波により誘導コイルに誘起された電圧によって充電することが出来るので、ポリマー二次電池が動作用電力の供給によって消耗しても、繰り返しポリマー二次電池を充電して生体情報測定装置を使用することができる。
【００２０】
また、上述の生体情報測定装置において、前記密着手段は、粘着力を有する生分解性ポリマーが前記保持部材の一方面に塗布されたものであることを特徴としている。
【００２１】
この構成によれば、柔軟性を有するシート状の保持部材が、粘着力を有する生分解性ポリマーによって生体に密着される。
【００２２】
また、上述の生体情報測定装置において、前記保持部材は、帯状の形状にされており、前記密着手段は、前記保持部材における帯状の両端付近を締結する締結部材であることを特徴としている。
【００２３】
この構成によれば、保持部材は、帯状の形状にされているので、手首や足首等の体の細い部位に巻き付けることが容易である。そして、締結部材によって、保持部材における帯状の両端付近を締結することができるので、保持部材を生体に密着させることができる。
【００２４】
また、上述の生体情報測定装置において、前記検出部により取得された生体情報が、生体の異常状態を示すべく予め設定された第１条件に該当する場合、電波を用いた無線通信によって異常状態の発生を示す無線信号を送信する報知手段をさらに備えることを特徴としている。
【００２５】
この構成によれば、検出部により取得された生体情報が、生体の異常状態を示すべく予め設定された第１条件に該当する場合、報知手段によって、電波を用いた無線通信によって異常状態の発生を示す無線信号が送信され、外部に異常状態の発生が報知される。
【００２６】
また、上述の生体情報測定装置において、前記検出部により取得された生体情報が、生体の状態としてあり得ない状態を示すべく予め設定された第２条件に該当する場合、電波を用いた無線通信によって故障の発生を示す無線信号を送信する報知手段をさらに備えることを特徴としている。
【００２７】
そして、本発明に係る生体情報測定システムは、上述のいずれかに記載の生体情報測定装置と当該生体情報測定装置により得られた生体情報を表示する生体情報表示装置とを備えた生体情報測定システムであって、前記生体情報表示装置は、前記送信部から送信された生体情報を受信する受信部と、前記受信部により受信された生体情報を表示する表示部とを備えることを特徴としている。
【００２８】
この構成によれば、上述のいずれかに記載の生体情報測定装置から送信された生体情報が、受信部によって受信され、表示部によって表示されるので、生体情報測定装置と生体情報表示装置とをケーブルで接続することなく生体情報表示装置で生体情報を表示することが出来、ケーブルが治療の妨げになることが低減される。さらに、生体情報の送信に電波を用いないので、医療現場で生体情報測定装置から送信された生体情報を生体情報表示装置により表示することが出来る。
【００２９】
さらに、本発明に係る生体情報測定システムは、上述の生体情報測定装置と当該生体情報測定装置により得られた生体情報を表示する生体情報表示装置とを備えた生体情報測定システムであって、前記生体情報表示装置は、前記送信部から送信された生体情報を受信する受信部と、前記受信部により受信された生体情報を表示する表示部と、前記誘導コイルに電磁誘導により起電力を生じさせるコイルとを備えることを特徴としている。
【００３０】
この構成によれば、生体情報表示装置におけるコイルによって、生体情報測定装置における誘導コイルに電磁誘導による起電力が生じる。そして、この起電力を用いて、生体情報測定装置における検出部により取得された生体情報が送信部によって生体情報表示装置へ送信され、受信部によって受信され、表示部によって表示されるので、生体情報表示装置から生体情報測定装置へ電力を供給しつつ、生体情報測定装置と生体情報表示装置とをケーブルで接続することなく生体情報表示装置で生体情報を表示することが出来、ケーブルが治療の妨げになることが低減される。さらに、生体情報の送信に電波を用いないので、医療現場で生体情報測定装置から送信された生体情報を生体情報表示装置により表示することが出来る。
【発明の効果】
【００３１】
このような構成の生体情報測定装置及び生体情報測定システムは、生体情報測定装置における検出部により取得された生体情報は、送信部によって音波を用いて外部へ送信され、通知されるので、生体情報測定装置と受信装置とをケーブルで接続する必要が無く、ケーブルが治療の妨げになることが低減される。さらに、生体情報の送信に電波を用いないので、医療現場で使用することが出来る。
【発明を実施するための最良の形態】
【００３２】
以下、本発明に係る実施形態を図面に基づいて説明する。なお、各図において同一の符号を付した構成は、同一の構成であることを示し、その説明を省略する。
【００３３】
（第１実施形態）
図１は、本発明の第１の実施形態に係る生体情報測定装置の構成の一例を示す斜視図である。図１（ａ）は生体情報測定装置１の内部構成の一例を示し、図１（ｂ）は生体情報測定装置１を変形させた場合の外観の一例を示している。
【００３４】
図１（ａ）に示す生体情報測定装置１は、柔軟性を有するシート状の保持部材１０の厚み内に、温度センサ１１（検出部）、感圧素子１２（検出部）、記憶部１３、スピーカ１４（送信部）、アンテナ１５（報知手段）、押しボタンスイッチＳＷ１、制御ＩＣ（Integrated Circuit）１６、及びこれらの回路部を動作させるための動作用電力を供給するリチウムポリマー二次電池１７（電源部）が設けられている。
【００３５】
保持部材１０は、絶縁性の材料によって構成されており、リチウムポリマー二次電池１７の出力電圧によりユーザが感電することが抑制されている。また、保持部材１０は、さらに防水性を有する材料によって構成され、ユーザの汗や、雨、あるいは飲料水がこぼれた場合などであっても、液体により保持部材１０の絶縁性が損なわれることが低減されている。保持部材１０の材料としては、例えば、ポリイミド、シリコン樹脂、ブチルゴム、ナイロン、ビニール、ポリエステル、テフロン（商標登録）、ポリエチレン等、柔軟性を有する種々の材料を用いることが出来る。保持部材１０の表面には、柔軟性を有するシート状の太陽電池１８が設けられている。
【００３６】
そして、図１（ｂ）に示すように、生体情報測定装置１は、柔軟に変形させることが可能にされている。さらに、生体情報測定装置１における裏面（太陽電池１８とは反対側の面）の略全面に、粘着力を有する粘着剤１９（密着手段）が塗布されており、生体情報測定装置１をユーザの体、例えば手首、足首、あるいは首等に巻き付けて粘着剤１９により体に密着した状態で貼付したり、生体情報測定装置１を例えば胸部や腰部などに体の形状に沿うように粘着剤１９により体に密着した状態で貼付したりすることができるようになっている。
【００３７】
粘着剤１９は、例えば生分解性ポリマーによって構成され、例えば生体情報測定装置１を幼児の体に貼り付けた場合に幼児が粘着剤１９を舐めてしまったり、例えば生体情報測定装置１を動物の体に貼り付けた場合に動物が粘着剤１９を舐めてしまった場合であっても害が無いようにされている。生分解性ポリマーとしては、例えばポリアクリル酸が用いられる。
【００３８】
図２は、本発明の第１の実施形態に係る生体情報測定装置１を用いた生体情報測定システム２の電気的構成の一例を示すブロック図である。図２に示す生体情報測定システム２は、生体情報測定装置１と生体情報表示装置３とを備えている。
【００３９】
図２に示す生体情報測定装置１において、温度センサ１１は、例えばサーミスタや熱電対等の感熱素子を用いて構成されており、上述のように生体情報測定装置１がユーザの体に密着されることにより、ユーザの体温を示す信号を制御ＩＣ１６へ出力する。感圧素子１２は、圧力を検出してその圧力を表す信号を制御ＩＣ１６へ出力するもので、例えば圧電素子を用いて構成されており、上述のように生体情報測定装置１がユーザの体に密着されることにより、ユーザの血圧や脈拍を示す信号を制御ＩＣ１６へ出力する。
【００４０】
記憶部１３は、例えば不揮発性のメモリの一例であるＥＥＰＲＯＭ（Electrically Erasable and Programmable Read Only Memory）を用いて構成されている。スピーカ１４は、制御ＩＣ１６からの信号に応じて音波を出力する。押しボタンスイッチＳＷ１は、生体情報表示装置３を使用するか否かを設定するための設定スイッチで、例えばユーザが保持部材１０の上から押しボタンスイッチＳＷ１を押圧する都度、オンとオフとが切り替わるトグル方式の押しボタンスイッチにされており、そのオンオフ信号を制御ＩＣ１６へ出力する。
【００４１】
そして、温度センサ１１、感圧素子１２、記憶部１３、制御ＩＣ１６、スピーカ１４、及び押しボタンスイッチＳＷ１は、例えば図略のフレキシブル基板に取り付けられ、フレキシブル基板の表面に形成された配線パターンによって、電気的に接続されている。また、アンテナ１５は、例えばフレキシブル基板の表面に形成された配線パターンによって形成されており、制御ＩＣ１６からの信号に応じて電波を放射する。
【００４２】
図３は、図２に示す制御ＩＣ１６の構成の一例を示すブロック図である。図３に示す制御ＩＣ１６は、ＡＤコンバータ１６１，１６２、通信Ｉ／Ｆ回路１６３、変調回路１６４、アンプ１６５、及び制御部１６６を備えている。ＡＤコンバータ１６１は、温度センサ１１の出力信号をデジタル値に変換して制御部１６６へ出力する。ＡＤコンバータ１６２は、感圧素子１２の出力信号をデジタル値に変換して制御部１６６へ出力する。
【００４３】
通信Ｉ／Ｆ回路１６３は、制御部１６６から出力されたデータを、アンテナ１５を介して無線信号により送信する回路部で、例えばＰＤＣ（Personal Digital Cellular）方式やＧＳＭ（Global System for Mobile communications）方式等の携帯電話端末に用いられる通信インターフェース回路や、例えばＩＥＥＥ８０２．１１規格等で規定される無線ＬＡＮ（Local Area Network）等、電波を用いた種々の無線通信回路を用いることが出来る。
【００４４】
変調回路１６４は、制御部１６６から出力されたデータを変調してアンプ１６５へ出力する。変調回路１６４における変調方式としては、ＡＭ（Amplitude Modulation）、ＦＭ（Frequency Modulation）、ＰＭ（Phase Modulation）等、種々の変調方式を用いることができる。アンプ１６５は、変調回路１６４から出力された変調信号を増幅してスピーカ１４へ出力する。これにより、制御部１６６から出力されたデータが変調されて、音波信号として生体情報測定装置１の外部へ出力される。
【００４５】
制御部１６６は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成され、ＲＯＭに記憶された制御プログラムを実行することにより、生体情報測定装置１内の各部の動作を制御する。
【００４６】
そして、生体情報測定装置１内の各部の動作用電力は、リチウムポリマー二次電池１７から供給される。リチウムポリマー二次電池１７のようなポリマー電池は、電解質にゲル状のポリマー（高分子）を用いた電池で、薄いシート状にして柔軟性を持たせることが出来る。生体情報測定装置１は、このようなポリマー電池を用いることで、生体情報測定装置１を柔軟性を有するシート状にすることが容易にされている。また、温度センサ１１、感圧素子１２、記憶部１３、スピーカ１４、及び制御ＩＣ１６は、互いに所定の間隔、例えばこれらのパッケージの一辺の長さと同程度の間隔を空けて配置されている。これにより、これらのパッケージが硬質の樹脂等で構成されている場合であっても、各部品の間の部分で保持部材１０やフレキシブル基板が屈曲するので、生体情報測定装置１における各部品のパッケージにより生体情報測定装置１の柔軟性が損なわれることが低減される。
【００４７】
また、リチウムポリマー二次電池１７は、太陽電池１８によって充電されるようになっている。また、太陽電池１８の表面は、例えば透明のコーティング剤によって被覆され、例えば生体情報測定装置１の使用者の汗などに対する防水性が向上されている。これにより、例えば生体情報測定装置１の外部に設けた充電装置とリチウムポリマー二次電池１７とをケーブルで接続して充電する場合のように生体情報測定装置１に充電用ケーブル接続用の接続端子を設ける必要がないので、生体情報測定装置１の防水性を向上させることが出来る。
【００４８】
なお、リチウムポリマー二次電池１７を用いる例を示したが、リチウム以外のポリマー電池を用いてもよく、ポリマー一次電池を用いてもよい。また、太陽電池１８によってリチウムポリマー二次電池１７を充電する例を示したが、直接太陽電池１８によって生体情報測定装置１内の各部へ動作用電力を供給し、電池を用いない構成としてもよい。
【００４９】
生体情報表示装置３は、マイク３１（受信部）と、端末制御部３２と、表示部３３とを備えている。マイク３１は、スピーカ１４から出力された音波を電気信号に変換して端末制御部３２へ出力する。表示部３３は、端末制御部３２から出力された信号に応じて文字メッセージや警報を表示するもので、例えば液晶表示器やＬＥＤ（Light Emitting Diode）表示器が用いられる。
【００５０】
端末制御部３２は、例えばマイク３１から出力された信号を復調する復調回路や、例えば脈拍の拍動周期を測定するためのタイマ回路、所定の演算処理を実行するＣＰＵ、所定の制御プログラムが記憶されたＲＯＭ、データを一時的に記憶するＲＡＭ、及びこれらの周辺回路等とを備えて構成され、ＲＯＭに記憶された制御プログラムを実行することにより、マイク３１から出力された信号に基づいて、生体情報測定装置１により測定されたユーザの体温、血圧、脈拍等の生体情報を、表示部３３により表示させる。
【００５１】
次に、上述のように構成された生体情報測定装置１を用いた生体情報測定システム２の動作について説明する。図４は、図２に示す生体情報測定装置１の動作の一例を示すフローチャートである。まず、ステップＳ１において、生体情報測定装置１がユーザの体に密着され、温度センサ１１によって、ユーザの体温が電圧信号としてＡＤコンバータ１６１へ出力され、ＡＤコンバータ１６１によって、そのユーザの体温を示す電圧信号がデジタル値に変換されて、制御部１６６へ出力される。そして、制御部１６６によって、ＡＤコンバータ１６１で得られた電圧値が温度に変換されて、体温Ｔ１として記憶部１３に記憶される。
【００５２】
次に、ステップＳ２において、感圧素子１２によって、ユーザの血圧が電圧信号としてＡＤコンバータ１６２へ出力され、ＡＤコンバータ１６２によって、そのユーザの血圧を示す電圧信号がデジタル値に変換されて、制御部１６６へ出力される。そして、制御部１６６によって、ＡＤコンバータ１６２で得られた電圧値が血圧に変換されて、血圧Ｐ１として記憶部１３に記憶される。さらに、制御部１６６によって、ＡＤコンバータ１６２で得られた電圧値の変化から、例えばタイマ回路を用いて拍動周期が測定され、拍動周期の逆数が脈拍Ｎ１として算出され、その脈拍Ｎ１が記憶部１３に記憶される。
【００５３】
次に、ステップＳ３において、制御部１６６によって、生体の状態としてあり得ない状態を示す条件として予め設定された第２条件に、温度センサ１１及び感圧素子１２によって取得された生体情報、例えば、体温Ｔ１、血圧Ｐ１、脈拍Ｎ１が該当するか否かが確認される。第２条件としては、例えば、体温Ｔ１が５０度を超えた場合、血圧Ｐ１が４００ｍｍＨｇを超えた場合や、脈拍Ｎ１が毎分５００回を超えた場合、等がある。あるいは、第２条件として、例えば１秒間に体温が３度上昇する、といった、人間の体温上昇としてはあり得ないような生体情報の変化が生じる場合を第２条件として設定してもよい。記憶部１３に、温度センサ１１及び感圧素子１２により検出された健康情報を経時的に累積記憶することにより、制御部１６６によって、生体情報の変化を検出して、人間の生体情報の変化としてあり得ないような生体情報の変化が検出された場合に、装置の故障が発生したと判断することが出来る。
【００５４】
そして、生体情報が第２条件に該当する場合（ステップＳ３でＹＥＳ）、生体情報測定装置１の故障、例えば温度センサ１１及び感圧素子１２や、ＡＤコンバータ１６１，１６２等の故障が発生していると考えられるので、制御部１６６によって、装置の故障が発生した旨の信号が通信Ｉ／Ｆ回路１６３へ出力される。そして、通信Ｉ／Ｆ回路１６３によって、アンテナ１５から、例えばＰＤＣ方式等、電波による無線通信信号を用いて装置の故障が発生した旨の信号が、例えば病院等、予め設定された緊急連絡先の携帯電話端末装置へ通知され（ステップＳ４）、ステップＳ５へ移行する。また、生体情報測定装置１は、例えば自己診断機能を備え、自己診断によって自機の故障を検出した場合にも、ステップＳ４と同様に、装置の故障が発生した旨の信号を緊急連絡先に通知する構成であってもよい。
【００５５】
これにより、生体情報測定装置１が故障したことを、携帯電話端末装置を備えた遠隔の緊急連絡先に通知することが出来る。
【００５６】
一方、ステップＳ３において、生体情報が第２条件に該当しない場合（ステップＳ３でＮＯ）、生体情報測定装置１の故障は発生していないと考えられるので、装置の故障が発生した旨の信号を送信することなくステップＳ５へ移行する。
【００５７】
次に、ステップＳ５において、制御部１６６によって、緊急性を有するユーザの健康上の異常を検出するための条件として予め設定された第１条件に、温度センサ１１及び感圧素子１２によって取得された生体情報、例えば、体温Ｔ１、血圧Ｐ１、脈拍Ｎ１が該当するか否かが確認される。第１条件としては、例えば、体温Ｔ１が３８度を超えたり、３０度を下回ったりした場合、血圧Ｐ１が２００ｍｍＨｇを超えたり、３０ｍｍＨｇを下回ったりした場合や、脈拍Ｎ１が毎分１０回を下回ったり、脈拍がゼロになった場合、等がある。あるいは、健康状態ではあり得ないような生体情報の変化が生じる場合を第１条件として設定してもよい。記憶部１３に、温度センサ１１及び感圧素子１２により検出された健康情報を経時的に累積記憶することにより、制御部１６６によって、生体情報の変化を検出して、健康状態ではあり得ないような生体情報の変化が検出された場合に、健康上の問題が生じたと判断することが出来る。
【００５８】
そして、生体情報が第１条件に該当する場合（ステップＳ５でＹＥＳ）、生体情報測定装置１を使用しているユーザに、緊急性を有する健康上の問題が生じていると考えられるので、制御部１６６によって、健康上の異常が発生した旨の信号が通信Ｉ／Ｆ回路１６３へ出力される。そして、通信Ｉ／Ｆ回路１６３によって、アンテナ１５から、例えばＰＤＣ方式等、電波による無線通信信号を用いて健康上の異常が発生した旨の信号が、例えば病院等、予め設定された緊急連絡先の携帯電話端末装置へ通知され（ステップＳ６）、ステップＳ７へ移行する。
【００５９】
一方、ステップＳ５において、生体情報が第１条件に該当しない場合（ステップＳ５でＮＯ）、生体情報測定装置１を使用しているユーザに、緊急性を有する健康上の問題は生じていないと考えられるので、健康上の異常が発生した旨の信号を送信することなくステップＳ７へ移行する。
【００６０】
この場合、例えばひとり暮らしの老人等が生体情報測定装置１を体に取り付けて使用している場合、体に緊急を有する健康上の異変が生じると、生体情報測定装置１により遠隔の緊急連絡先に、健康上の問題が生じた旨通知される。
【００６１】
なお、通信Ｉ／Ｆ回路１６３として、例えば無線ＬＡＮ等の屋内で用いられる程度の比較的短距離の無線通信を行う通信インターフェイス回路を用いて、生体情報測定装置１の外部に、このような無線通信の受信装置を設けて公衆電話回線やインターネット回線に接続してもよい。この場合、通信Ｉ／Ｆ回路１６３から、公衆電話回線やインターネット回線を介して緊急連絡先へ、装置の故障が発生した旨の信号や健康上の異常が発生した旨の信号を送信することができる。
【００６２】
次に、ステップＳ７において、制御部１６６によって、押しボタンスイッチＳＷ１がオンしているか否かが確認される。ユーザ、例えば生体情報測定装置１を体に装着している人や、この人を搬送する救急隊員、あるいは医師は、生体情報測定装置１で測定された生体情報を生体情報表示装置３によって、表示させたい場合、押しボタンスイッチＳＷ１を押圧してオンする。また、これらユーザは、生体情報測定装置１の近傍に生体情報表示装置３がない場合は、生体情報測定装置１から送信された生体情報を生体情報表示装置３で表示させることが出来ないので、押しボタンスイッチＳＷ１を押圧してオフするようになっている。
【００６３】
そして、制御部１６６によって、押しボタンスイッチＳＷ１がオフしていることが確認されると（ステップＳ７でＮＯ）、再びステップＳ１へ戻ってステップＳ１〜Ｓ６の処理が繰り返され、新たに測定された生体情報が、記憶部１３に経時的に追加記憶される（ステップＳ１，Ｓ２）。一方、制御部１６６によって押しボタンスイッチＳＷ１がオンしていることが確認されると（ステップＳ７でＹＥＳ）、制御部１６６によって、記憶部１３に記憶されている生体情報が、変調回路１６４へ出力され、変調回路１６４で変調され、アンプ１６５で増幅されてスピーカ１４によって、音波信号として生体情報表示装置３へ送信される（ステップＳ８）。そして、制御部１６６によって、スピーカ１４から生体情報表示装置３へ送信された生体情報が、記憶部１３から消去される（ステップＳ９）。
【００６４】
一方、生体情報表示装置３では、マイク３１によって、スピーカ１４から出力された音波信号が電気信号に変換されて端末制御部３２へ出力され、端末制御部３２によって、この電気信号から生体情報が取得され、この生体情報が表示部３３で表示される。
【００６５】
以上、ステップＳ１〜Ｓ９の処理により、生体情報測定装置１から生体情報表示装置３へは、音波信号によって生体情報が送信されるので、生体情報測定装置１と生体情報表示装置３とをケーブルで接続する必要が無く、ケーブルが治療の妨げになることが低減される。さらに、生体情報測定装置１から生体情報表示装置３への生体情報の送信には電波が用いられないので、生体情報測定装置１、及び生体情報測定システム２を医療現場で使用することが出来る。
【００６６】
また、生体情報測定装置１から生体情報表示装置３へは、音波信号によって生体情報が送信されるので、例えば生体情報測定装置１をユーザの胸部等、被服で覆われる部分に貼付した場合であっても、被服が生体情報の送信の妨げとなることが低減される。
【００６７】
また、生体情報測定装置１の近傍、例えばスピーカ１４から出力された音波信号が到達する範囲、に生体情報表示装置３が無く、生体情報測定装置１から生体情報表示装置３へ生体情報を送信することが出来ない場合には、ユーザは、押しボタンスイッチＳＷ１をオフすることにより、温度センサ１１及び感圧素子１２により取得された生体情報を、記憶部１３により経時的に記憶させることが出来る。その後、ユーザは、生体情報測定装置１の近傍に生体情報表示装置３を持ってきて、押しボタンスイッチＳＷ１をオンすることにより、生体情報表示装置３により生体情報を表示することが出来なかった期間において、記憶部１３により記憶された生体情報を、生体情報表示装置３を用いて表示させることができる。
【００６８】
（第２実施形態）
次に、本発明の第２の実施形態に係る生体情報測定装置、及びこれを用いた生体情報測定システムについて説明する。図５は、本発明の第２の実施形態に係る生体情報測定装置１ａの構成の一例を示す斜視図である。また、図６は、図５に示す生体情報測定装置１ａを用いた生体情報測定システム２ａの電気的構成の一例を示すブロック図である。
【００６９】
図５、図６に示す生体情報測定装置１ａと、図１、図２に示す生体情報測定装置１とでは、下記の点で異なる。すなわち、生体情報測定装置１ａにおける保持部材１０ａは、帯状の形状にされており、保持部材１０ａの一端部に、複数、例えば６個の貫通孔４１が設けられ、他端部に複数の貫通孔４１のうち一つと係合する締結部材４２が設けられている。そして、図７に示すように、生体情報測定装置１ａを、腕時計のように手首に巻き付けて、手首の太さに合わせて選択した複数の貫通孔４１のうち一つと、締結部材４２とを係合させることによって、保持部材１０ａの両端を締結すると共に保持部材１０ａを手首に密着させることが出来る。
【００７０】
図１に示す生体情報測定装置１のように、粘着剤１９によって保持部材１０を体に密着させる構成では、生体情報測定装置１を繰り返し使用するうちに粘着剤１９の粘着力が弱まり、再び粘着剤１９を塗布し直す必要がある。一方、図５に示す生体情報測定装置１ａでは、粘着剤１９を用いることなく複数の貫通孔４１のうち一つを手首の太さに合わせて選択し、その貫通孔４１と、締結部材４２とを係合させることによって保持部材１０ａを手首に密着させることが出来るので、粘着剤１９を塗布し直す手間を省くことが出来る。
【００７１】
なお、締結部材は、保持部材１０ａの両端付近を締結するものであればよく、例えば貫通孔４１と締結部材４２との代わりに面ファスナー等種々の部材を用いることができる。
【００７２】
また、図５に示す生体情報測定装置１ａは、スピーカ１４、太陽電池１８を備えず、代わりに発光部４３、コイル４４、ＡＣＤＣコンバータ４５を備えている。そして、生体情報測定装置１ａは、制御ＩＣ１６の代わりに制御ＩＣ１６ａを備える。
【００７３】
図８は、図５に示す制御ＩＣ１６ａの構成の一例を示すブロック図である。図８に示す制御ＩＣ１６ａは、図３に示す制御ＩＣ１６とは、変調回路１６４及びアンプ１６５の代わりに通信Ｉ／Ｆ回路１６７を備える点で異なる。通信Ｉ／Ｆ回路１６３は、制御部１６６から出力されたデータを発光部４３を介して光通信により送信する回路部で、例えばＩｒＤＡ（Infrared Data Association）で規定された規格に準拠した赤外線通信インターフェイス回路である。発光部４３としては、例えば、波長０．８μｍ〜１ｍｍ程度の赤外線を出力する例えば赤外線ＬＥＤ（Light Emitting Diode）が用いられる。なお、発光部４３は、赤外線発光をするものに限られず、例えば、紫外線発光をするものや、可視光により発光するものであってもよい。
【００７４】
コイル４４は、外部からの電磁波により誘起された高周波電圧を、ＡＣＤＣコンバータ４５へ供給する。ＡＣＤＣコンバータ４５は、コイル４４から供給された高周波電圧を直流電圧に変換し、リチウムポリマー二次電池１７を充電すると共に生体情報測定装置１ａ内の各部へ動作用電力を供給する。
【００７５】
また、図６に示す生体情報表示装置３ａは、図２に示す生体情報表示装置３とは、マイク３１の代わりに受光部３４（受信部）を備える点、及びインバータ３５とコイル３６とをさらに備える点で異なる。受光部３４は、発光部４３から出力された光信号、例えば赤外線を受光して、電気信号に変換して端末制御部３２へ出力する。インバータ３５は、外部に接続された例えば商用交流電源ＡＣから供給された交流６０Ｈｚ、１００Ｖの電源電圧を、例えば５０ｋＨｚの高周波電圧に変換してコイル３６へ供給する。
【００７６】
その他の構成は図２に示す生体情報測定システム２と同様であるのでその説明を省略し、以下本実施形態の動作について説明する。まず、生体情報測定装置１ａは、図４に示すフローチャートにおけるステップＳ１〜Ｓ７，Ｓ９と同様に動作する。そして、ステップＳ８における動作が異なる。
【００７７】
ステップＳ８において、生体情報を表示させるべく生体情報測定装置１ａに生体情報表示装置３ａを近接させ、コイル３６とコイル４４とを対向させると、商用交流電源ＡＣから供給された交流６０Ｈｚ、１００Ｖの電源電圧が、生体情報表示装置３ａにおけるインバータ３５によって、例えば５０ｋＨｚの高周波電圧に変換されてコイル３６へ供給され、コイル３６の近傍に電磁界が生成され、コイル３６と対向配置されたコイル４４に５０ｋＨｚの高周波電圧が誘起される。そして、コイル４４に誘起された高周波電圧が、ＡＣＤＣコンバータ４５によって直流電圧に変換され、リチウムポリマー二次電池１７が充電されると共に生体情報測定装置１ａ内の各部へ動作用電力が供給される。
【００７８】
次に、制御部１６６によって、記憶部１３に記憶されている生体情報が、通信Ｉ／Ｆ回路１６７へ出力され、例えばＩｒＤＡに準拠した通信プロトコルに変換されて発光部４３へ出力され、発光部４３から光通信、例えば赤外線通信によって、生体情報が生体情報表示装置３ａへ送信される。
【００７９】
一方、生体情報表示装置３ａでは、受光部３４によって、発光部４３から出力された光信号が電気信号に変換されて端末制御部３２へ出力され、端末制御部３２によって、この電気信号から生体情報が取得され、この生体情報が表示部３３で表示される。
【００８０】
以上、ステップＳ１〜Ｓ９の処理により、生体情報測定装置１ａから生体情報表示装置３ａへは、光信号によって生体情報が送信されるので、生体情報測定装置１ａと生体情報表示装置３ａとをケーブルで接続する必要が無く、ケーブルが治療の妨げになることが低減される。さらに、生体情報測定装置１ａから生体情報表示装置３ａへの生体情報の送信には電波が用いられないので、生体情報測定装置１ａ、及び生体情報測定システム２ａを医療現場で使用することが出来る。
【００８１】
また、生体情報測定装置１ａと生体情報表示装置３ａとが近接されておらず、押しボタンスイッチＳＷ１がオフされている状態では、リチウムポリマー二次電池１７から供給される電力によって、生体情報測定装置１ａ内の各部が動作し、ステップＳ１〜Ｓ７の処理を実行することが出来る。
【００８２】
そして、ステップＳ８において生体情報測定装置１ａから生体情報表示装置３ａへ、光通信により生体情報を送信する際には、通信Ｉ／Ｆ回路１６７を動作させたり発光部４３を発光させたりするために、生体情報測定装置１ａにおける消費電力が増大するが、光通信により生体情報を送信する際には、生体情報を表示させるべく生体情報測定装置１ａと生体情報表示装置３ａとが近接され、コイル３６とコイル４４とが対向されてコイル３６から電磁波として供給された電力がコイル４４で受電され、ＡＣＤＣコンバータ４５により生体情報測定装置１ａ内の各部の動作用電力が供給されるので、電力消費が増大する際におけるリチウムポリマー二次電池１７の出力電流を低減することが出来る結果、リチウムポリマー二次電池１７として容量の小さな小型のものを用いることが容易となる。また、リチウムポリマー二次電池１７を小型化することが容易となるので、生体情報測定装置１ａを小型化し、腕時計のベルトのような帯状の形状にすることが容易となる。
【００８３】
また、生体情報測定装置１ａは、腕時計のベルトのような帯状の形状にされ、貫通孔４１と締結部材４２とによって、手首の太さに合わせて密着させるように手首に取り付けることができ、手首に生体情報測定装置１ａを取り付ければ、発光部４３を被服から露出させることが容易であるので、被服が発光部４３を用いた光通信の妨げになることが低減される。
【００８４】
なお、押しボタンスイッチＳＷ１を用いて、押しボタンスイッチＳＷ１がオンされた場合に生体情報測定装置１，１ａと生体情報表示装置３，３ａとが近接されているものとして生体情報測定装置１，１ａから生体情報表示装置３，３ａへ生体情報を送信する例を示したが、押しボタンスイッチＳＷ１の代わりに、生体情報表示装置３，３ａの近接を検出するセンサを用いてもよい。
【００８５】
また、図１に示す生体情報測定装置１において、通信Ｉ／Ｆ回路１６７、発光部４３、コイル４４、及びＡＣＤＣコンバータ４５を用いてもよく、図５に示す生体情報測定装置１ａにおいて、変調回路１６４、アンプ１６５、スピーカ１４、及び太陽電池１８を用いてもよい。
【００８６】
また、生体情報測定装置１，１ａを、例えば腕時計の本体部のような堅い筐体に収容し、ベルトで手首に密着させるようにしてもよく、リチウムポリマー二次電池１７の代わりにボタン電池を用いてもよい。
【００８７】
また、生体情報表示装置３ａがインバータ３５とコイル３６とを備える構成を示したが、生体情報表示装置３ａは、インバータ３５とコイル３６とを備えず、インバータ３５とコイル３６とを備えた充電装置を別途用いてもよい。
【００８８】
また、生体情報表示装置３，３ａは、生体情報測定装置１，１ａから送信された生体情報を累積的に記憶し、図略の操作スイッチにより生体情報を表示すべき旨の操作指示が受け付けられた場合に、記憶していた生体情報を表示するようにしてもよい。
【００８９】
また、生体情報測定装置１，１ａは、生体情報に基づいて、予め設定された判定条件に基づきユーザの健康状態の善し悪しを判定し、その判定結果を生体情報表示装置３，３ａへ送信してもよく、その判定結果に基づき例えば「安静が必要」といった処置を指示するメッセージ情報や、症状に有った薬の種類等を示す情報を生体情報表示装置３，３ａへ送信して表示させるようにしてもよい。
【００９０】
また、生体情報表示装置３，３ａは、生体情報測定装置１，１ａから送信された生体情報に基づいて、予め設定された判定条件に基づきユーザの健康状態の善し悪しを判定し、その判定結果を表示してもよく、その判定結果に基づき例えば「安静が必要」といった処置を指示するメッセージや、症状に有った薬の種類等を示す情報を表示するようにしてもよい。
【産業上の利用可能性】
【００９１】
生体に取り付けられて生体情報を測定する生体情報測定装置に適用することが出来る。また、生体情報測定装置で測定された生体情報を表示する生体情報表示装置と、このような生体情報測定装置とからなる生体情報測定システムに適用することができる。
【図面の簡単な説明】
【００９２】
【図１】本発明の第１の実施形態に係る生体情報測定装置の構成の一例を示す斜視図である。（ａ）は生体情報測定装置の内部構成の一例を示し、（ｂ）は生体情報測定装置を変形させた場合の外観の一例を示している。
【図２】本発明の第１の実施形態に係る生体情報測定装置を用いた生体情報測定システムの電気的構成の一例を示すブロック図である。
【図３】図２に示す制御ＩＣの構成の一例を示すブロック図である。
【図４】図２に示す生体情報測定装置の動作の一例を示すフローチャートである。
【図５】本発明の第２の実施形態に係る生体情報測定装置の構成の一例を示す斜視図である。
【図６】図５に示す生体情報測定装置を用いた生体情報測定システムの電気的構成の一例を示すブロック図である。
【図７】図５に示す生体情報測定装置の使用状態の一例を示す外観斜視図である。
【図８】図５に示す制御ＩＣの構成の一例を示すブロック図である。
【符号の説明】
【００９３】
１，１ａ  生体情報測定装置
２，２ａ  生体情報測定システム
３，３ａ  生体情報表示装置
１０，１０ａ  保持部材
１１  温度センサ
１２  感圧素子
１３  記憶部
１４  スピーカ
１５  アンテナ
１６  制御ＩＣ
１７  リチウムポリマー二次電池
１８  太陽電池
１９  粘着剤
３１  マイク
３２  端末制御部
３３  表示部
３４  受光部
３５  インバータ
３６，４４  コイル
４１  貫通孔
４２  締結部材
４３  発光部
４５  ＡＣＤＣコンバータ
１６１，１６２  ＡＤコンバータ
１６３，１６７  通信Ｉ／Ｆ回路
１６４  変調回路
１６５  アンプ
１６６  制御部
ＳＷ１  押しボタンスイッチ
【図１】
2007209428.tif 000003
【図２】
2007209428.tif 000004
【図３】
2007209428.tif 000005
【図４】
2007209428.tif 000006
【図５】
2007209428.tif 000007
【図６】
2007209428.tif 000008
【図７】
2007209428.tif 000009
【図８】
2007209428.tif 000010